(57)【要約】  母乳を収容し、保存するための母乳フリーザーバッグ（１）であって、充填開口（２）が設けられており、充填開口（２）は、母乳フリーザーバッグ（１）の上縁部にわたって延びるカラー（３）を、母乳フリーザーバッグ（１）を搾乳ポンプ（１２）に固定するために有している形式のものが記載されている。少なくとも２つの収容ユニット（４）が設けられており、これらの収容ユニット（４）は、それぞれ少なくとも１つの隣接する収容ユニット（４）に、少なくとも１つの接続通路（８）を介して連通するように接続されていて、これにより収容ユニット（４）内に収容された母乳は、冷凍された状態で、収容ユニット（４）の収容容積に応じた一分量に分割可能であって、解凍状態で一分量ごとに授乳することができる。
2009525925.tif 000002
【特許請求の範囲】
【請求項１】
母乳を収容し、保存するための母乳フリーザーバッグ（１）であって、充填開口（２）が設けられており、充填開口（２）は、母乳フリーザーバッグ（１）の上縁部にわたって延びるカラー（３）を、母乳フリーザーバッグ（１）を搾乳ポンプ（１２）に固定するために有している形式のものにおいて、
少なくとも２つの収容ユニット（４）が設けられており、これらの収容ユニット（４）は、それぞれ少なくとも１つの隣接する収容ユニット（４）に、少なくとも１つの接続通路（８）を介して連通するように接続されていて、これにより収容ユニット（４）内に収容された母乳は、冷凍された状態で、収容ユニット（４）の収容容積に応じた一分量に分割可能であって、解凍状態で一分量ごとに授乳することができることを特徴とする、母乳フリーザーバッグ。
【請求項２】
前記収容ユニット（４）が接続通路（８）を分離する平面に沿って互いに分離可能である、請求項１記載の母乳フリーザーバッグ。
【請求項３】
母乳フリーザーバッグ（１）が２つのプラスチック面から成っており、これらのプラスチック面は、充填開口（２）と、収容ユニット（４）と、接続通路（８）とを残して面状に互いに溶接されている、請求項２記載の母乳フリーザーバッグ。
【請求項４】
収容ユニット（４）が、接続通路（８）を残して面状に溶接された結合区分（７）を介して互いに結合されている、請求項３記載の母乳フリーザーバッグ。
【請求項５】
結合区分（７）がミシン目（９）を有している、請求項４記載の母乳フリーザーバッグ。
【請求項６】
結合区分（７）が少なくとも１つの縁部区分にそれぞれ１つの分離溝（１０）を有している、請求項１から５までのいずれか１項記載の母乳フリーザーバッグ。
【請求項７】
収容ユニット（４）が、母乳フリーザーバッグ（１）の充填状態で、互いに重ねられて配置されている、請求項１から６までのいずれか１項記載の母乳フリーザーバッグ。
【請求項８】
収容ユニット（４）がほぼ円筒状に形成されている、請求項７記載の母乳フリーザーバッグ。
【請求項９】
ほぼ円筒状の収容ユニット（４）の底面（５）と上面（６）とが互いに平行に配置されている、請求項８記載の母乳フリーザーバッグ。
【請求項１０】
複数の収容ユニット（４）間の接続通路（８）が、ほぼ円筒状の母乳フリーザーバッグ（１）の縦軸線上に配置されている、請求項７から９までのいずれか１項記載の母乳フリーザーバッグ。
【請求項１１】
充填開口（２）が母乳フリーザーバッグ（１）の上縁部から、母乳フリーザーバッグ（１）の上縁部から見て第１の若しくは最も上方の収容ユニット（４）内に開口している、請求項７から１０までのいずれか１項記載の母乳フリーザーバッグ。
【請求項１２】
充填開口（２）が漏斗状に形成されている、請求項７から１１までのいずれか１項記載の母乳フリーザーバッグ。
【請求項１３】
側方で互いに隣接して配置されている複数の収容ユニット（４）が設けられており、該収容ユニット（４）の縦軸線（４′）が、充填状態でほぼ垂直に配置されている、請求項１から６までのいずれか１項記載の母乳フリーザーバッグ。
【請求項１４】
複数の収容ユニット（４）間の接続通路（８）が、収容ユニットの縦軸線に対して垂直に配置されている、請求項１３記載の母乳フリーザーバッグ。
【請求項１５】
充填開口（２）が、側方で互いに隣接して配置された全ての収容ユニット（４）に接続されている、請求項１３又は１４記載の母乳フリーザーバッグ。
【請求項１６】
収容ユニット（４）の収容容積が約１０ｍｌ〜約５０ｍｌであって、有利には、約２０ｍｌ〜約４０ｍｌであり、特に約３０ｍｌである、請求項１から１５までのいずれか１項記載の母乳フリーザーバッグ。
【請求項１７】
少なくとも１つの記入面（１１）が、母乳フリーザーバッグ（１）の外面に設けられている、請求項１から１６までのいずれか１項記載の母乳フリーザーバッグ。
【請求項１８】
母乳フリーザーバッグ（１）が熱可塑性プラスチック材料から成っている、請求項１から１７までのいずれか１項記載の母乳フリーザーバッグ。
【発明の詳細な説明】
【技術分野】
【０００１】
本発明は、母乳を収容し、保存するための母乳フリーザーバッグであって、充填開口が設けられており、充填開口は、母乳フリーザーバッグの上縁部にわたって延びるカラーを、母乳フリーザーバッグを搾乳ポンプに固定するために有している形式のものに関する。
【０００２】
母乳フリーザーバッグは、フレキシブルな薄層の材料から成る母乳用の容器であって、新鮮な母乳の充填及び冷却又は冷凍のために使用される。
【０００３】
母乳を収容するための１つだけの収容ユニットを備えたこのような母乳フリーザーバッグはＣＡ２３００２９７Ａ１号特許明細書、ＪＰ０８１９８２７９Ａ号特許明細書、ＪＰ２００４−０１０１５５Ａ号特許明細書により公知である。このフリーザーバッグは母乳の充填後に冷凍され、乳児に与えるために、凍ったまま、又は解凍されて哺乳瓶に入れられる。この場合、フリーザーバッグは特別な開閉機構を有しており、これにより袋の密な閉鎖及び容易な開放が可能である。
【０００４】
１つだけの収容ユニットを備えた別の母乳フリーザーバッグがＵＳ６８９９２３９Ｂ１号特許明細書及びＵＳ２００２／０１５６４１９Ａ１号特許明細書により公知である。このフリーザーバッグは搾乳ポンプに結合可能であり、そのために特別に形成された上縁部又は特別に形成された充填開口を有している。これにより搾乳ポンプによって吸い上げられた母乳を直接に、収容ユニットに充填することができる。ＵＳ６８９９２３９Ｂ１号特許明細書に記載の母乳フリーザーバッグはさらに、搾乳された母乳を収容するための収容ユニット若しくは袋を、その内部の母乳を完全に与えてない場合に閉鎖し、母乳の残りを保存するために、スナップ閉鎖装置を有している。
【０００５】
ＪＰ２００１−２９９９０５Ａ号特許明細書により、哺乳瓶と、この哺乳瓶のための母乳保存容器を備えた搾乳ポンプが公知である。このような特別な保存容器も、母乳のために１つだけの収容領域しか有しておらず、容器の充填開口は、搾乳ポンプに結合するために円錐状に成形されている。
【０００６】
これら公知の全ての母乳フリーザーバッグにおいて欠点は、これらが専ら比較的多量の母乳を収容するために形成されていることにある。冷凍保存後に少量の母乳だけが必要な場合、バッグ全てを解凍若しくは温めなければならない。不要な母乳は使用されずバッグ内に残り、廃棄若しくは極めて短期間で使い切らなければならない。そうでなければ衛生上及び健康上の理由から、乳児のためにもはや使用することはできない。このような母乳フリーザーバッグは従って、特に、比較的少量の母乳しか出せない母親にとっては不都合である。何故ならば、搾乳された母乳の大部分が解凍後に使用されずに廃棄されなければならないからである。
【０００７】
粉ミルク及び水を収容するための別の形式の使い捨てバッグがＵＳ２８８５１０４Ａ号特許明細書により公知である。このような使い捨てバッグは、溶接シームによって分離された２つの区分に分割されていて、これらは一方は水を収容するために、他方は粉ミルクを収容するために設けられている。使用状態で互いに重ねられて配置されたこれら２つの区分は、挿入部の製造時に分離シーム内に一緒に成形されたストリップによって、１つの統一的な区分を成すように変形させることができる。このために、哺乳瓶の部分的に開かれた底面を通って案内されたストリップの下端部が引っ張られる。これにより、両区分の分離シームは解除若しくは分離され、上方区分にある水が、下方区分にある粉ミルクに達する。
【０００８】
さらに、基本的に異なる形式のフリーザーバッグが公知である。このフリーザーバッグは複数の収容ユニットに分割されている。しかしながら、ＵＳ４７８３０４２Ａ号特許明細書、ＤＫ１０４６８１Ａ号特許明細書、ＵＳ４２２３０４３Ａ号特許明細書により公知のようなこのような形式のフリーザーバッグは、搾乳ポンプに結合するためには適しておらず、単に、凍った状態で個別に賞味できる冷凍されたアイスキャンディーや凍った菓子類を製造するために設けられたものである。
【０００９】
従って、本発明の課題は、冒頭で述べた形式の母乳フリーザーバッグを改良して、必要に応じて異なる量の母乳を簡単に提供することができ、この際に、母乳フリーザーバッグ内に収容された母乳全てを解凍する必要のないような母乳フリーザーバッグを提供することである。
【００１０】
本発明による母乳フリーザーバッグは、少なくとも２つの収容ユニットが設けられており、これらの収容ユニットは、それぞれ少なくとも１つの隣接する収容ユニットに、少なくとも１つの接続通路を介して連通するように接続されていて、これにより収容ユニット内に収容された母乳は、冷凍された状態で、収容ユニットの収容容積に応じた一分量に分割可能であって、解凍状態で一分量ごとに授乳することができることを特徴としている。
【００１１】
単に少なくとも１つの接続通路を介してのみ互いに接続されている少なくとも２つの収容ユニットに分割することにより、保存された母乳を、比較的少量の一分量に、収容ユニットの収容容量に応じて分けることができる。この場合、単に接続通路を介して接続された、冷凍された母乳の一分量を簡単に分離することができる。この場合、例えば、収容ユニット内で冷凍された一分量の母乳が収容ユニットから押し出される。従って、母乳フリーザーバッグ内に収容された全ての母乳は、実際には一分量ごとに乳児に与えることもでき、解凍された母乳を使用せずに廃棄する必要はない。
【００１２】
収容ユニットが、接続通路を分離する平面に沿って互いに分離可能であるならば、収容ユニットは、必要な母乳の量に応じて、即ち、１つの収容ユニット又は複数の収容ユニットを、残りの収容ユニットから、冷凍状態で、例えば裂断又は切断により分離することができる。これにより簡単に、実際に必要な母乳の量だけを解凍することができる。
【００１３】
接続通路を介して互いに接続されている、互いに分離された収容ユニットを簡単に製造することに関しては、母乳フリーザーバッグが２つのプラスチック面から製造されていて、これらが、充填開口、収容ユニット、接続通路を残して面状に互いに溶接されていると有利である。プラスチック面は、有利にはフレキシブルで透明又は着色されていて、さらに有利には、ほぼ半透明の薄層シートから成っており、この薄層シートは、衛生的な、特に抗細菌性の保存及び、母乳の冷凍に適している。この場合、充填状態で上縁部及び下縁部を介して互いに溶接された複数の母乳フリーザーバッグを、ストランド又は帯の形で販売用に用意することも考えられる。この場合、個々の母乳フリーザーバッグは、隣の母乳フリーザーバッグからミシン目によって簡単に分離可能に形成されている。
【００１４】
母乳フリーザーバッグの収容ユニットを簡単に、例えば切断により、互いに分離するために、収容ユニットが、接続通路を残して面状に溶接された結合区分を介して互いに結合されていると有利である。
【００１５】
１つの収容ユニットを、隣接する収容ユニットから、簡単に分離するために、結合区分がミシン目を有していると有利である。結合区分の少なくとも１つの縁部区分に１つの分離溝が設けられていると、分離はさらに容易になる。
【００１６】
母乳フリーザーバッグに母乳を充填する際に収容ユニット間の確実な連通を得るために、また、隣接する個々の収容ユニットの簡単な分離を得るために、収容ユニットが、母乳フリーザーバッグの充填状態で互いに重なって配置されていると有利である。
【００１７】
母乳フリーザーバッグの収容容量をできるだけ良好に消費するために、収容ユニットがほぼ円筒状に形成されていると有利である。
【００１８】
この関係で、ほぼ円筒状の収容ユニットの底面及び上面が互いに平行に配置されていると、提供される収容容量をできるだけ効果的に使用するのに有利である。
【００１９】
母乳の充填時に、収容ユニット間の迅速かつ効果的な連通を可能にするために、複数の収容ユニット間の接続通路が、ほぼ円筒状の母乳フリーザーバッグの縦軸線上に配置されていると有利である。
【００２０】
母乳を簡単に母乳フリーザーバッグに充填することができ、かつ均一に収容ユニット内に分配することができるように、充填開口が、フリーザーバッグの上縁部から、フリーザーバッグの上縁部から見て第１の若しくは最上方の収容ユニット内に開口していると有利である。
【００２１】
母乳フリーザーバッグの上縁部に相応に形成されたカラーを設けることにより、フリーザーバッグを簡単に、キャップによって、被せ嵌めナットの形式で、搾乳ポンプのスリーブ状のケーシングに固定することができる。充填開口が漏斗状に形成されているならば、搾乳された母乳は確実に第１の収容ユニット内に流れることができる。使用したい搾乳ポンプの形式に応じて、漏斗形状を種々様々に形成することができる。漏斗形状は、母乳フリーザーバッグの充填状態において上縁部の近傍の、その最も幅広の直径において、種々様々な大きさに形成することができる。従って、ポンプから母乳を流出させるための搾乳ポンプの漏斗状の接続管片は、母乳フリーザーバッグの充填開口に直接に接触させることができる。
【００２２】
母乳フリーザーバッグの収容容量を効果的に消費することに関しては選択的に、側方で互いに隣接して配置された収容ユニットを設けることもでき、これら収容ユニットの縦軸線は充填状態でほぼ垂直に配置されている。この場合、収容ユニット間の母乳の溢流を最短距離で可能にするために、収容ユニット間の接続通路が、収容ユニットの縦軸線に対して垂直に配置されていると有利である。
【００２３】
互いに隣接して配置された収容ユニットへの母乳の均一な充填を可能にするために、充填開口が、側方で互いに隣接して配置された全ての収容ユニットに接続されていると有利である。
【００２４】
収容ユニットの収容容量が約１０〜約５０ｍｌ、有利には約２０〜約４０ｍｌ、特に約３０ｍｌである場合に、乳児のための授乳時間に関して有利な一分量が得られることが示されている。
【００２５】
母乳フリーザーバッグからの母乳を使用するには、少なくとも１つの記入面が、フリーザーバッグの外面に設けられていると有利である。これにより、母乳フリーザーバッグに、母乳を充填した日にち及び／又は時間を記載することができる。
【００２６】
簡単な製造及び耐久性に関しては、母乳フリーザーバッグが熱可塑性プラスチック材料から成っていると有利である。
【００２７】
次に本発明を図面につき詳しく説明する。
【００２８】
図１には、母乳を収容し保存するための本発明による母乳フリーザーバッグ１が示されている。この母乳フリーザーバッグ１は複数の収容ユニット４を有している。母乳フリーザーバッグ１は、ほぼ円筒状であって、部分的に互いに溶接されている、例えば熱可塑性材料から成る２つのプラスチックシートから成っている。
【００２９】
母乳フリーザーバッグ１の充填のために、母乳フリーザーバッグ１の上方区分には、漏斗形状の真ん中の充填開口２と、母乳フリーザーバッグ１の上縁部にわたって延びるカラー３とが設けられている。特に図２及び図３に示されているように、カラー３は折り返すことができるので、母乳フリーザーバッグ１は、母乳を吸い上げるための搾乳ポンプに簡単に固定することができる。
【００３０】
充填開口２は下端部で第１の収容ユニット４内に開口している。収容ユニット４は底面５と上面６とを有しており、ほぼ円筒状に形成されており、その縦軸線は、ほぼ円筒状のフリーザーバッグ１の縦軸線に対して平行に配置されている。全体として母乳フリーザーバッグ１は５つの収容ユニット４を有しており、これらは互いに上下に重ねられて配置されている。互いに間隔をおいて配置されている収容ユニット４は、母乳フリーザーバッグ１に関して真ん中に配置されていて、結合区分７を介して互いに結合されている。結合区分７ではプラスチックシートが面状に互いに溶接されている。この場合、接続通路８が溶接部から切り欠かれている。接続通路８も同様に真ん中で、収容ユニット４の底面５から、その下に配置された収容ユニット４の上面６にまで延びており、これにより個々の収容ユニット４は鉛直線に沿って互いに連通されて結合されている。
【００３１】
結合区分７は、母乳が低温に冷凍された状態でも簡単に、このために設けられたミシン目９に沿って分離可能であるので、個々の収容ユニット４を、その他の収容ユニット４から分離することができ、個別に授乳のために解凍することができる。この場合勿論、結合区分７を、はさみやスタンリーナイフによって分離することもできるので、ミシン目９は必ずしも必要ではない。収容ユニット４の互いの分離をさらに容易にするために、母乳フリーザーバッグ１の側縁部若しくは縁部区分で、ミシン目９の端部に分離溝１０を設けることができる。
【００３２】
収容ユニット４は外面には、収容ユニット４の容積を示すマーキングが示されている。図示の実施例では、この場合、収容ユニット４は全て同じ収容容積を有しているが、勿論、異なる収容容積を有する複数の収容ユニット４が設けられていても良い。さらに、充填開口２の下端部近傍には、母乳フリーザーバッグ１の印のために、その都度、母乳の充填日を記載する記入面１１が設けられている。
【００３３】
母乳フリーザーバッグ１を搾乳ポンプ１２に接続するためにはまず、充填開口２の上縁部から延びるカラー３を下方に折り返す若しくは裏返す。図３に示したように搾乳ポンプ１２は、雌ねじ山を備えた被せ嵌めキャップ１３を有していて、この被せ嵌めキャップ１３はスリーブ１４にねじ込み可能である。この場合、スリーブ１４は、哺乳瓶のためにも使用可能であるように使用することができる。従って、搾乳した母乳を与えるためには、底部キャップをねじ込み、哺乳瓶の乳首を固定してから、同じスリーブ１４を使用することができる。これにより、搾乳及び授乳のための装置の総部品数を減じることができる。スリーブ１４の脚部には、搾乳ポンプ１２の安定性のために滑り止め材料から成るリング１６がねじ込み可能である。
【００３４】
母乳フリーザーバッグ１を搾乳ポンプ１２に接続するために、まず、母乳フリーザーバッグ１の充填開口２のカラー３を外側に折り返し（図２参照）、次いで、母乳フリーザーバッグ１をスリーブ１４内に挿入し、これにより、カラー３がスリーブ１４の上縁部１７を取り囲む。次いで、搾乳ポンプ１２の被せ嵌めキャップ１３をスリーブ１４上にねじ込み、これにより母乳フリーザーバッグ１はカラー３を介してスリーブ１４の縁部１７に保持され、意図せず外れないようになる。
【００３５】
図４に示したように、組み付け状態では、搾乳ポンプ１２の、円錐状に成形された出口１８が、母乳フリーザーバッグ１の漏斗状の充填開口２内に突入する。従って、搾乳ポンプ１２によって母乳を搾乳する際には、搾乳された母乳は直接、搾乳ポンプ１２の出口１８から充填開口２に到り、漏斗状の充填開口２を介して最も上部の収容ユニット４内に到る。
【００３６】
鉛直に配置された接続通路８を介して、搾乳された母乳は第１の収容ユニット４からその下に位置する収容ユニット４へと直接流れる。
【００３７】
図４にさらに示したように、母乳フリーザーバッグ１の下方区分は、リング１６の真ん中の開口を通って突出することができる。スリーブ１４に開かれた底面を設けることにより、母乳フリーザーバッグ１は充填された状態で、スリーブ１４よりも大きな長手方向の延在を有することもできる。従って勿論、図示した５つの収容ユニット４よりも多くの収容ユニット４を備えた母乳フリーザーバッグ１を使用することもできる。従って、母乳フリーザーバッグ１の収容ユニット４の数は、フリーザーバッグ１の所望の収容量に応じて変更することができる。
【００３８】
図５には、母乳フリーザーバッグ１の選択的な実施例が示されている。この実施例では、充填状態で、側方に互いに隣接して配置された収容ユニット４（特に図６及び図８参照）が設けられている。さらに、下方に向かって開かれたスリーブ１４の代わりに、閉じられた容器１９が設けられている。この容器１９は、搾乳ポンプ１２の被せ嵌めキャップ１３がねじ込まれる上方部分２０と、下方部分２１とから組み立てられている。この場合、上方部分２０と下方部分２１とは、ねじ結合を介して互いに結合されている。
【００３９】
図６及び図８に示されているように、母乳フリーザーバッグ１は、その縦軸線４′が充填状態でほぼ垂直に配置されている複数の収容ユニット４を有している。この場合、母乳フリーザーバッグ１は、ほぼ２つのプラスチックシート１′から成っており、これらのプラスチックシート１′は、結合区分７で面状に互いに溶接されている。母乳が液状で、収容ユニット４間を流れることができるようにするために、収容ユニット４間の結合区分７は接続通路８によって破断されている。図６に示したように、母乳フリーザーバッグ１は充填開口２を有しており、この充填開口２は、側方で互いに隣接して配置された全ての収容ユニット４に同時に接続されている。
【００４０】
さらに、図５〜図８に示された選択的な母乳フリーザーバッグ１は、図１〜図４に示された実施例と同様に、母乳フリーザーバッグ１の上縁部にわたって延びるカラー３を有しており、このカラー３は、容器１９の上縁部２０上に折り返すことができる。これにより搾乳ポンプ１２の被せ嵌めキャップ１３を介して、母乳フリーザーバッグ１は確実に容器１９に固定される。
【００４１】
母乳フリーザーバッグ１の収容ユニット４に、搾乳された母乳が充填されると、母乳フリーザーバッグ１は搾乳ポンプ１２から取り外され、適当に閉鎖される。母乳フリーザーバッグ１は、ゴムバンドによって閉じることができ、又は、使用者が充填開口２の領域に結び目を作っても良い。その後、フリーザーバッグ１は密に閉じられた状態で冷凍して、保存することができる。搾乳された母乳の部分量を使用する際には、必要に応じて、母乳フリーザーバッグ１の１つまたは複数の収容ユニット４を結合区分７の領域で、場合によってはミシン目９及び分離溝１０（図４ではフリーザーバッグ１の両縁部区分に設けられている）によって母乳フリーザーバッグ１から、冷凍状態で分離する。しかしながら、収容ユニット４内の冷凍された母乳の一分量は、母乳フリーザーバッグ１のプラスチックシートから、収容ユニット４を予め分離せずに押し出すこともでき、母乳を使用するために哺乳瓶に入れて、授乳用に解凍若しくは温めることもできる。この場合、母乳フリーザーバッグ１内で依然として冷凍されている母乳は、（開かれた接続通路以外では）周囲に対して殆ど母乳フリーザーバッグ１によって保護されているので、衛生的な保存が保証されている。
【図面の簡単な説明】
【００４２】
【図１】母乳フリーザーバッグを示した図である。
【図２】母乳フリーザーバッグをカラーを折り曲げた状態で示した図である。
【図３】図１及び図２の母乳フリーザーバッグと共に、搾乳ポンプ装置を分解状態で示した図である。
【図４】図３の搾乳ポンプ装置を組み付けた状態で示した図である。
【図５】選択的な実施例による母乳フリーザーバッグを備えた搾乳ポンプを組み付けた状態で示した図である。
【図６】側方で互いに隣接して配置された複数の収容ユニットを備えた母乳フリーザーバッグを示した図である。
【図７】図６の母乳フリーザーバッグの側方図である。
【図８】図６のVIII-VIII線に沿った断面図である。
【図１】
2009525925.tif 000003
【図２】
2009525925.tif 000004
【図３】
2009525925.tif 000005
【図４】
2009525925.tif 000006
【図５】
2009525925.tif 000007
【図６】
2009525925.tif 000008
【図７】
2009525925.tif 000009
【図８】
2009525925.tif 000010
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
母乳を収容し、保存するための母乳フリーザーバッグ（１）であって、充填開口（２）が設けられており、充填開口（２）は、母乳フリーザーバッグ（１）の上縁部にわたって延びる、外方に折り返し可能なカラー（３）を、母乳フリーザーバッグ（１）を搾乳ポンプ（１２）に固定するために有している形式のものにおいて、
少なくとも２つの収容ユニット（４）が設けられており、これらの収容ユニット（４）の収容容積はそれぞれ約１０〜５０ｍｌであって、これらの収容ユニット（４）は、それぞれ少なくとも１つの隣接する収容ユニット（４）に、少なくとも１つの接続通路（８）を介して連通するように接続されていて、これにより収容ユニット（４）内に収容された母乳は、冷凍された状態で、収容ユニット（４）の収容容積に応じた一分量に分割可能であって、解凍状態で一分量ごとに授乳することができることを特徴とする、母乳フリーザーバッグ。
【請求項２】
前記収容ユニット（４）が接続通路（８）を分離する平面に沿って互いに分離可能である、請求項１記載の母乳フリーザーバッグ。
【請求項３】
母乳フリーザーバッグ（１）が２つのプラスチック面から成っており、これらのプラスチック面は、充填開口（２）と、収容ユニット（４）と、接続通路（８）とを残して面状に互いに溶接されている、請求項２記載の母乳フリーザーバッグ。
【請求項４】
収容ユニット（４）が、接続通路（８）を残して面状に溶接された結合区分（７）を介して互いに結合されている、請求項３記載の母乳フリーザーバッグ。
【請求項５】
結合区分（７）がミシン目（９）を有している、請求項４記載の母乳フリーザーバッグ。
【請求項６】
結合区分（７）が少なくとも１つの縁部区分にそれぞれ１つの分離溝（１０）を有している、請求項１から５までのいずれか１項記載の母乳フリーザーバッグ。
【請求項７】
収容ユニット（４）が、母乳フリーザーバッグ（１）の充填状態で、互いに重ねられて配置されている、請求項１から６までのいずれか１項記載の母乳フリーザーバッグ。
【請求項８】
収容ユニット（４）がほぼ円筒状に形成されている、請求項７記載の母乳フリーザーバッグ。
【請求項９】
ほぼ円筒状の収容ユニット（４）の底面（５）と上面（６）とが互いに平行に配置されている、請求項８記載の母乳フリーザーバッグ。
【請求項１０】
複数の収容ユニット（４）間の接続通路（８）が、ほぼ円筒状の母乳フリーザーバッグ（１）の縦軸線上に配置されている、請求項７から９までのいずれか１項記載の母乳フリーザーバッグ。
【請求項１１】
充填開口（２）が母乳フリーザーバッグ（１）の上縁部から、母乳フリーザーバッグ（１）の上縁部から見て第１の若しくは最も上方の収容ユニット（４）内に開口している、請求項７から１０までのいずれか１項記載の母乳フリーザーバッグ。
【請求項１２】
充填開口（２）が漏斗状に形成されている、請求項７から１１までのいずれか１項記載の母乳フリーザーバッグ。
【請求項１３】
側方で互いに隣接して配置されている複数の収容ユニット（４）が設けられており、該収容ユニット（４）の縦軸線（４′）が、充填状態でほぼ垂直に配置されている、請求項１から６までのいずれか１項記載の母乳フリーザーバッグ。
【請求項１４】
複数の収容ユニット（４）間の接続通路（８）が、収容ユニットの縦軸線に対して垂直に配置されている、請求項１３記載の母乳フリーザーバッグ。
【請求項１５】
充填開口（２）が、側方で互いに隣接して配置された全ての収容ユニット（４）に接続されている、請求項１３又は１４記載の母乳フリーザーバッグ。
【請求項１６】
収容ユニット（４）の収容容積が約２０ｍｌ〜約４０ｍｌであり、特に約３０ｍｌである、請求項１から１５までのいずれか１項記載の母乳フリーザーバッグ。
【請求項１７】
少なくとも１つの記入面（１１）が、母乳フリーザーバッグ（１）の外面に設けられている、請求項１から１６までのいずれか１項記載の母乳フリーザーバッグ。
【請求項１８】
母乳フリーザーバッグ（１）が熱可塑性プラスチック材料から成っている、請求項１から１７までのいずれか１項記載の母乳フリーザーバッグ。
【国際調査報告】
2009525925.tif 000011
2009525925.tif 000012
2009525925.tif 000013
2009525925.tif 000014
2009525925.tif 000015
2009525925.tif 000016